(57)【要約】  本発明は、データを移動データ処理ユニットに送信する方法に関するもので、該方法は、（ａ）上記データをデジタルオーディオ及び／又はテレビジョン受信装置（１００）で受信するステップであって、該データがデジタルオーディオ及び／又はテレビジョン信号のトランスポートストリームに含まれるようなステップと；（ｂ）前記データを前記デジタルオーディオ及び／又はテレビジョン信号のトランスポートストリームから抽出するステップと；（ｃ）デジタルオーディオ及び／又はテレビジョン受信装置（１００）により電磁信号を送出して、前記抽出されたデータをデジタルオーディオ及び／又はテレビジョン受信装置（１００）から移動データ処理ユニット（２００）に送信するステップとを有し、その場合において、（ｄ）前記抽出されたデータはデジタルオーディオ及び／又はテレビジョン受信装置（１００）から移動データ処理ユニット（２００）に該移動データ処理ユニット（２００）からデジタルオーディオ及び／又はテレビジョン受信装置（１００）への周期的なリクエストに応答して送信される。
2008517501.tif 000002
【特許請求の範囲】
【請求項１】
データを移動データ処理ユニット（２００）に送信する方法であって、該方法が、
ａ．前記データをデジタルオーディオ及び／又はテレビジョン受信装置（１００）で受信するステップであって、該データがデジタルオーディオ及び／又はテレビジョン信号のトランスポートストリームに含められるようなステップと、
ｂ．前記データを前記デジタルオーディオ及び／又はテレビジョン信号のトランスポートストリームから抽出するステップと、
ｃ．前記デジタルオーディオ及び／又はテレビジョン受信装置（１００）により電磁信号を送出して、前記抽出されたデータを前記デジタルオーディオ及び／又はテレビジョン受信装置（１００）から前記移動データ処理ユニット（２００）に送信するステップであって、前記抽出されたデータが前記デジタルオーディオ及び／又はテレビジョン受信装置（１００）から前記移動データ処理ユニット（２００）に該移動データ処理ユニット（２００）から前記デジタルオーディオ及び／又はテレビジョン受信装置（１００）へのリクエストに応答して送信されるようなステップと、
を有する方法において、
ｄ．前記リクエストは前記抽出されたデータに対する周期的同期リクエストであり、該抽出されたデータに対する前記周期的同期リクエストの間のリフレッシュ間隔が、該リフレッシュ間隔に関する値を前記デジタルオーディオ及び／又はテレビジョン受信装置（１００）から前記移動データ処理ユニット（２００）へ送信することにより変更することができることを特徴とする方法。
【請求項２】
請求項１に記載の方法において、前記移動データ処理ユニットからの前記周期的同期リクエストが、該移動データ処理ユニット（２００）内のデータの少なくとも一部を前記デジタルオーディオ及び／又はテレビジョン受信装置（１００）に記憶された一群の新たなデータと同期させるように作用する方法。
【請求項３】
請求項２に記載の方法において、前記周期的同期リクエストが自動的に実行されるような方法。
【請求項４】
請求項３に記載の方法において、前記リフレッシュ間隔に関する値が、同期のための新たなデータと共に送信されるような方法。
【請求項５】
請求項１ないし４の何れか一項に記載の方法において、前記移動データ処理ユニット（２００）が、ユーザ入力に応答して、前記デジタルオーディオ及び／又はテレビジョン受信装置（１００）から送信されるべきデータに対する手動リクエストを非同期的に発することができるような方法。
【請求項６】
請求項１ないし５の何れか一項に記載の方法において、前記デジタルオーディオ及び／又はテレビジョン信号のトランスポートストリームのコンテンツと前記含められたデータのコンテンツとが関連されるような方法。
【請求項７】
請求項６に記載の方法において、前記トランスポートストリームは複数のチャンネルに関するデジタルオーディオ及び／又はテレビジョン信号を有し、該トランスポートストリームから抽出されて前記移動データ処理ユニット（２００）に送信されるデータが、前記デジタルオーディオ及び／又はテレビジョン受信装置（１００）が同調されたチャンネルに依存するような方法。
【請求項８】
請求項７に記載の方法において、前記デジタルオーディオ及び／又はテレビジョン受信装置（１００）が同調された第１チャンネルに関する前記抽出されたデータが、前記デジタルオーディオ及び／又はテレビジョン受信装置（１００）のメモリに記憶されるような方法。
【請求項９】
請求項８に記載の方法において、前記メモリに記憶されたデータは、前記第１チャンネルから第２チャンネルへ変更した場合に、前記移動データ処理ユニット（２００）に送信されるべき前記第１チャンネルに関する前記抽出されたデータが前記第２チャンネルに関するものと同一でない限り削除されるような方法。
【請求項１０】
請求項８に記載の方法において、前記メモリに記憶されたデータが、前記第１チャンネルから第２チャンネルへ変更した場合に維持されるような方法。
【請求項１１】
データを移動データ処理ユニット（２００）へ送信する方法であって、
ａ．送信されるべき前記データを、放送されるべきデジタルオーディオ及び／又はテレビジョン信号のトランスポートストリームに含めるステップと、
ｂ．前記含められたデータを伴う前記デジタルオーディオ及び／又はテレビジョン信号のトランスポートストリームを、デジタルオーディオ及び／又はテレビジョン受信装置（１００）が前記デジタルオーディオ及び／又はテレビジョン信号を受信し、前記含められてデータを抽出し、且つ、これらデータを前記移動データ処理ユニット（２００）に送信するように適応化されたデジタルフォーマットで放送するステップであって、前記含められたデータが、前記移動データ処理ユニット（２００）から前記デジタルオーディオ及び／又はテレビジョン受信装置（１００）へのリクエストに応答して送信されるようなステップと、
を有する方法において、
ｃ．前記リクエストは前記含められたデータに対する周期的同期リクエストであり、前記含められたデータが、該含められたデータに対する前記移動データ処理ユニット（２００）の前記周期的同期リクエストの間のリフレッシュ間隔の変化を生じさせることを特徴とする方法。
【請求項１２】
請求項１１に記載の方法において、前記ステップａ．及び／又はｂ．が、前記データのプロバイダが前記デジタルオーディオ及び／又はテレビジョン受信装置（１００）及び／又は前記移動データ処理ユニット（２００）から信号を受信することに応答して実行されるような方法。
【請求項１３】
請求項１ないし１２の何れか一項に記載の方法において、前記リフレッシュ間隔が、１ｓ≦ｔ≦１０ｓなる長さｔを有するような方法。
【請求項１４】
ａ．テレビジョン及び／又はラジオシステム（１０２）上で表示するためのデジタルオーディオ及び／又はテレビジョン信号のトランスポートストリームであって、追加のデータを含むようなトランスポートストリームを受信する第１受信ユニット（５）と、
ｂ．前記デジタル信号のトランスポートストリームから前記追加のデータを抽出する抽出ユニット（６）と、
ｃ．該抽出された追加のデータを外部の移動データ処理ユニット（２００）に送信する送信ユニット（４）と、
ｄ．前記抽出された追加のデータの送信を開始するために前記移動データ処理ユニット（２００）から前記抽出された追加のデータに対する周期的同期リクエストを受信するように構成された第２受信ユニットと、
を有するようなデジタルオーディオ及び／又はテレビジョン受信装置（１００）において、
ｅ．前記デジタルオーディオ及び／又はテレビジョン受信装置が、更に、前記移動データ処理ユニット（２００）からの前記抽出された追加のデータに対する前記周期的同期リクエストの間のリフレッシュ間隔を変更するように構成されていることを特徴とするデジタルオーディオ及び／又はテレビジョン受信装置。
【請求項１５】
請求項１４に記載のデジタルオーディオ及び／又はテレビジョン受信装置（１００）において、前記移動データ処理ユニット（２００）内のデータを、該移動データ処理ユニット（２００）からの前記周期的同期リクエストに応答して新たなデータと同期させるように構成されたメモリを更に有しているデジタルオーディオ及び／又はテレビジョン受信装置。
【請求項１６】
請求項１５に記載のデジタルオーディオ及び／又はテレビジョン受信装置（１００）において、更に、同期のために前記新たなデータを送信するのと一緒に前記リフレッシュ間隔を変更するように構成されているデジタルオーディオ及び／又はテレビジョン受信装置。
【請求項１７】
請求項１４ないし１６の何れか一項に記載のデジタルオーディオ及び／又はテレビジョン受信装置（１００）において、前記トランスポートストリームは複数のチャンネルに関するデジタルオーディオ及び／又はテレビジョン信号を有し、前記デジタルオーディオ及び／又はテレビジョン受信装置（１００）が同調された第１チャンネルに関する前記移動データ処理ユニット（２００）に送信されるべき前記抽出されたデータが、当該デジタルオーディオ及び／又はテレビジョン受信装置（１００）のメモリに記憶されるようなデジタルオーディオ及び／又はテレビジョン受信装置。
【請求項１８】
請求項１７に記載のデジタルオーディオ及び／又はテレビジョン受信装置（１００）において、更に、前記メモリに記憶されたデータを、前記第１チャンネルから第２チャンネルに変更した場合に、前記移動データ処理ユニット（２００）に送信されるべき前記第１チャンネルに関する前記抽出されたデータが前記第２チャンネルに関するものと同一でない限り削除するように構成されているようなデジタルオーディオ及び／又はテレビジョン受信装置。
【請求項１９】
請求項１７に記載のデジタルオーディオ及び／又はテレビジョン受信装置（１００）において、更に、前記メモリに記憶されたデータを、前記第１チャンネルから第２チャンネルへ変更した場合に維持するように構成されているようなデジタルオーディオ及び／又はテレビジョン受信装置。
【請求項２０】
移動データ処理ユニット（２００）であって、
ａ．携帯電話網と通信するための第１送受信器ユニット（１５）と、
ｂ．デジタルオーディオ及び／又はテレビジョン受信装置（１００）と通信するための第２送受信器ユニット（９）と、
ｃ．前記第２送受信器（９）用の命令により前記デジタルオーディオ及び／又はテレビジョン受信装置（１００）にリクエストを送信する制御手段であって、前記リクエストが、前記デジタルオーディオ及び／又はテレビジョン受信装置（１００）によりデジタルオーディオ及び／又はテレビジョン信号と一緒に受信された追加のデータの前記移動データ処理ユニット（２００）の前記第２送受信器（９）への送信を開始するような制御手段と、
を有する移動データ処理ユニットにおいて、
ｄ．前記リクエストは前記追加のデータに対する同期リクエストであると共に、前記制御手段は該リクエストを周期的に送信するように構成され、
ｅ．前記移動データ処理ユニットが、更に、前記追加のデータに対する連続する周期的同期リクエストの間のリフレッシュ間隔に関する値を受信するように構成されていることを特徴とする移動データ処理ユニット。
【請求項２１】
請求項２０に記載の移動データ処理ユニット（２００）において、当該移動データ処理ユニットからの前記周期的同期リクエストが、該移動データ処理ユニット内のデータを前記デジタルオーディオ及び／又はテレビジョン受信装置（１００）に記憶された新たなデータと同期させるように作用する移動データ処理ユニット。
【請求項２２】
請求項２１に記載の移動データ処理ユニット（２００）において、更に、前記デジタルオーディオ及び／又はテレビジョン受信装置（１００）から送信される前記リフレッシュ間隔に関する値を同期データの一部として受信するように構成されている移動データ処理ユニット。
【請求項２３】
請求項２１又は２２に記載の移動データ処理ユニット（２００）において、前記制御手段が、ユーザ入力に応答して更なるデータに対する追加のリクエストを非同期的に送出する命令を有するような移動データ処理ユニット。
【請求項２４】
請求項２０ないし２３の何れか一項に記載の移動データ処理ユニット（２００）において、前記制御手段が、前記第１送受信器ユニット（１５）が前記デジタルオーディオ及び／又はテレビジョン信号のプロバイダに対して前記追加のデータに対するリクエストを送信するための命令を更に有するような移動データ処理ユニット。
【発明の詳細な説明】
【技術分野】
【０００１】
本発明は、データを移動データ処理ユニットに送信する方法及び装置に関する。
【背景技術】
【０００２】
手持ちコンピュータ、ＰＤＡ、インテリジェント携帯電話等の移動データ処理ユニットは、益々普及してきている。一つの理由は、これら装置のマルチメディア能力が常に増加しているからである。例えば、近年、携帯電話は通信の基本的要件を超えるような種々の機能を含んでいる。
【０００３】
しかしながら、このようなデータ処理システムが遭遇する１つの困難さは、データのダウンロード、特には、データのサイズが比較的大きく、標準の移動通信ネットワークを介してのダウンロードが遅く且つ高価となる場合のダウンロードである。例えば、ＧＳＭネットワークを介して新しいゲーム等の携帯電話用の新しい処理アプリケーションを取得及びインストールすることは、該ゲームが小さな量のデータに圧縮することができる場合にのみ可能となる。
【０００４】
他の代替例は、移動データ処理ユニットを、インターネットに接続されたパーソナルコンピュータに接続することである。この方法は、当該パーソナルコンピュータの高速インターネットアクセスの場合に、大量のデータを素早くダウンロードし、該データを接続された移動データ処理ユニットに供給するのを可能にする。しかしながら、この態様でプロバイダから移動データ処理ユニットにデータを伝送しようとするユーザには、コンピュータ及びインターネット等に関するかなりの技術的専門知識が必要とされる。
【０００５】
このような全体的な困難さを克服するために、従来技術においては、例えば特許文献１、特許文献２及び特許文献３から、合成されたテレビジョン信号及び追加データを含むデータを受信するためのセット・トップ・ボックス等を設けることが知られている。上記の追加データはテレビジョン信号から分離され、無線態様でＰＤＡ又は携帯電話に送信されて、ユーザにとりアクセス可能となる。
【０００６】
この様なシステムにおいては、２つの競合する目的が存在する。一方において、上記追加データの提供者（プロバイダ）は、ユーザの移動ユニット上に表示されるべきコンテンツに影響を与えたいと欲するであろう。他方において、移動ユニット自体のユーザは、移動ユニット上に表示されるべきか及びどのデータが表示されるべきかの（好ましくは、インターネット上でブラウジングするのと幾らか同様の態様での）制御を確保したいと欲する。
【０００７】
【特許文献１】国際特許出願公開第WO2004/088983号
【特許文献２】国際特許出願公開第WO03/088027号
【特許文献３】国際特許出願公開第WO03/088655号
【発明の開示】
【発明が解決しようとする課題】
【０００８】
従って本発明の課題は、セット・トップ・ボックス等から移動データ処理ユニットにデータを送信する改善された方法であって、追加データのプロバイダ及び移動ユニットのユーザの両者に、上記移動ユニットに実際に送信されるデータに影響を与えるバランスのとれた可能性を提供するような方法を提供することにある。
【課題を解決するための手段】
【０００９】
本発明の一態様によれば、この課題はデータを移動データ処理ユニットに送信する方法であって、
−  上記データをデジタルオーディオ及び／又はテレビジョン受信装置で受信するステップであって、該データがデジタルオーディオ及び／又はテレビジョン信号のトランスポートストリームに含められるようなステップと、
−  前記データを前記デジタルオーディオ及び／又はテレビジョン信号のトランスポートストリームから抽出するステップと、
−  前記デジタルオーディオ及び／又はテレビジョン受信装置により電磁信号を送出して、前記抽出されたデータを前記デジタルオーディオ及び／又はテレビジョン受信装置から前記移動データ処理ユニットに送信するステップであって、前記抽出されたデータが前記デジタルオーディオ及び／又はテレビジョン受信装置（１００）から前記移動データ処理ユニット（２００）に該移動データ処理ユニット（２００）から前記デジタルオーディオ及び／又はテレビジョン受信装置（１００）への周期的リクエストに応答して送信されるようなステップと、
を有するような方法により解決される。
【００１０】
本発明は、益々普及しているデジタルオーディオ及び／又はテレビジョン受信装置（セット・トップ・ボックスとも呼ばれる）を、放送デジタルテレビジョン信号を受信するためのみならず、放送メディアの主トランスポートストリームに追加データを含めるためにも使用するという思想に基づくものである。合成された信号が受信されたなら、上記追加データは抽出され、セット・トップ・ボックスから移動データ処理ユニット（即ち、好ましくは別体であって、上記デジタルオーディオ及び／又はテレビジョン受信装置の通常の機能とは関係がないユニット）に電磁信号として送出される。
【００１１】
上記移動データ処理ユニットからデジタルオーディオ及び／又はテレビジョン受信装置への周期的リクエストは、好ましくは、コンテンツのプロバイダにとり移動データ処理ユニットに対して新たなデータを伝送するための規則的な可能性を提供する。斯かる新たなデータは、ユーザにより要求されたデータのみならず、当該プロバイダが移動データ処理ユニットにより受信されると共に恐らくは表示されることも欲する重要なメッセージ等のデータとすることもできる。一方、ユーザは全体の通信に影響を与えることもできる。何故なら、デジタルオーディオ及び／又はテレビジョン受信装置との通信を開始するのは、好ましくも常に当該移動局又はユーザ自身であるからである。更に、他の利用可能なデータに対する要求も、当該移動データ処理ユニットからデジタルオーディオ及び／又はテレビジョン受信装置への前記周期的リクエストにより又は追加の非同期リクエストにより発することができる。
【００１２】
好ましくは、本方法は、前記抽出されたデータをデジタルオーディオ及び／又はテレビジョン受信装置に記憶するステップ、及びユーザに対して該抽出されたデータの利用可能性に関するメッセージを例えば当該受信装置及び／又は接続されたテレビジョン装置上に提示するステップを更に有する。この様にして、ユーザは、当該デジタルオーディオ及び／又はテレビジョン受信装置に記憶された上記データが最終的に該ユーザの移動データ処理ユニットに送信されるべきか及び何時送信されるかを管理することができる。例えば、ユーザに対し、（関連するデジタルテレビジョン放送の主題であった）サッカートーナメントの全結果の表を示すデータが、該ユーザの携帯電話又はＰＤＡへ転送するために利用可能にされる。
【００１３】
当該デジタルオーディオ及び／又はテレビジョン受信装置から移動データ処理ユニットへのデータの送信は、一実施例においては、該デジタルテレビジョン受信装置又は接続されたテレビジョンにおけるユーザ入力に応答して実行される。これは、例えば上記デジタルオーディオ及び／又はテレビジョン受信装置のリモコン又は装置自体に１以上の適切な釦を設けることにより達成することができる。他の代替例では、移動データ処理ユニットへの最終的送信は、当該デジタルオーディオ及び／又はテレビジョン受信装置が移動データ処理ユニットから信号を受信することに応答して実行される。また、上記２つの開始イベントの組み合わせも可能である。
【００１４】
好ましくは、前記移動データ処理ユニットからの周期的リクエストは、該移動データ処理ユニット内のデータの少なくとも一部をデジタルオーディオ及び／又はテレビジョン受信装置に記憶された一群のデータと同期させるように作用する。従って、コンテンツプロバイダは、移動局に最終的に送信されたデータの内容に、デジタルオーディオ及び／又はテレビジョン受信装置へデジタルオーディオ及び／又はテレビジョン信号のトランスポートストリームでもって新たなデータを送ることにより影響を与えることができ、その場合、これらデータは移動データ処理ユニットに対して後の同期の１つにおいて供給される。
【００１５】
好ましい実施例においては、上記移動データ処理ユニットの周期的リクエストは、自動的に、好ましくはユーザ入力なしで実行される。更に、これら周期的リクエストの間のリフレッシュ間隔は好ましくは変更可能である。斯かるリフレッシュ間隔に関する値は、デジタルオーディオ及び／又はテレビジョン受信装置から移動データ処理ユニットへ、好ましくは同期のための新たなデータと一緒に送信される。結果として、コンテンツプロバイダは、移動データ処理ユニットがどの程度早く新たなデータで更新されるべきかを容易に決定することができる。更に、ユーザは、移動データ処理ユニットの繰り返されるバックグラウンドでのポーリングにより妨害されることがない。好ましくは、上記リフレッシュ間隔は１ｓ≦ｔ≦１０ｓなる長さｔを有する。
【００１６】
これは、現在好まれているように、デジタルオーディオ及び／又はテレビジョン信号のトランスポートストリームの内容と、含められたデータの内容とが関連している場合に特に有利である。本発明の該態様は、コンテンツプロバイダが簡単な態様で或る放送に関係するデータ（例えば、ゲーム又は楽曲）が大幅な遅れ無しに移動データ処理ユニット上で利用可能にされることを保証することを可能にする故に、特に価値がある。他の状況においては、移動データ処理ユニットのポーリング頻度を減少させて、例えば処理負荷を低減すると共に、ダウンロードされたアプリケーションを移動データ処理ユニット上で実行するための一層多くの処理能力を提供するようにするのが有利であり得る。
【００１７】
好ましい実施例では、前記トランスポートストリームは複数のチャンネルに対するデジタルオーディオ及び／又はテレビジョン信号を有し、その場合において、該トランスポートストリームから抽出され且つ移動データ処理ユニットに送信されるデータは、当該デジタルオーディオ及び／又はテレビジョン受信装置が同調されているチャンネルに依存する。この態様は、デジタルオーディオ及び／又はテレビジョン受信装置を介しての移動データ処理ユニットへのデータのダウンロードの基本的機能を、完全な新マルチメディアシステムが形成されるように拡張し、この場合において、追加の情報、ゲーム、音楽又は他のデータはユーザに対して移動データ処理ユニット上において、現在選択されているテレビジョン番組に加え且つ関連して利用可能にされる。
【００１８】
好ましくは、当該デジタルオーディオ及び／又はテレビジョン受信装置が同調されている第１チャンネルに関する抽出データが、該デジタルオーディオ及び／又はテレビジョン受信装置のメモリに記憶される。一実施例では、これらデータは、第１チャンネルから第２チャンネルへ変更された場合、移動データ処理ユニットに送信されるべき第１チャンネルに関する前記抽出データが第２チャンネルに関するものと同一でない限り、除去される。結果として、デジタルオーディオ及び／又はテレビジョン受信装置のメモリの最大量が、新たなチャンネルのデータのために利用可能にされる。他の実施例では、メモリに記憶されたデータは第１チャンネルから第２チャンネルへ変更された場合に保持される。この実施例は、移動データ処理ユニットに送られるデータが、第１チャンネルへの更なる戻し変更に即座に追従するのを可能にする。
【００１９】
本発明の他の態様によれば、データを移動データ処理ユニットへ送信する方法であって、
−  前記送信されるべきデータを、放送されるべきデジタルオーディオ及び／又はテレビジョン信号のトランスポートストリームに含めるステップと、
−  前記含められたデータを伴う前記デジタルオーディオ及び／又はテレビジョン信号のトランスポートストリームを、デジタルオーディオ及び／又はテレビジョン受信装置が前記デジタルオーディオ及び／又はテレビジョン信号を受信し、前記含められたデータを抽出し、且つ、これらデータを前記移動データ処理ユニットに送信するように適応化されたデジタルフォーマットで放送するステップと、
を有し、
−  前記含められたデータが、前記移動データ処理ユニットから前記デジタルオーディオ及び／又はテレビジョン受信装置への周期的リクエストに応答して送信される、
方法が提供される。
【００２０】
従って、当該デジタルテレビジョン信号の送信者は、放送されるべき標準のデジタルテレビジョン信号と、移動データ処理ユニットへの最終的送信（即ち、ダウンロード）のための追加の信号との両方を有する合成信号を送出する。本発明の該態様によれば、上記合成信号のフォーマットは、デジタルオーディオ及び／又はテレビジョン受信装置が信号の主ストリームから上記の含められたデータを抽出し、ユーザがデジタルテレビジョンを視聴することができると共に、更に、移動データ処理ユニットからデジタルオーディオ及び／又はテレビジョン受信装置への周期的リクエストに応答してユーザの移動データ処理ユニットのための上記追加のデータを得ることができるように特別に適応化される。好ましくは、上記の含められたデータは上記移動データ処理ユニットの周期的リクエストの間のリフレッシュ間隔の変更を生じさせる。
【００２１】
一実施例では、上記第１及び第２の方法ステップは、当該データのプロバイダが、前記デジタルオーディオ及び／又はテレビジョン受信装置、及び／又は前記移動データ処理ユニットから信号を受信することに応答して実行される。このような進んだ実施例は、ユーザが、１以上の移動データ処理ユニットへの後のダウンロードのために追加のデータが１以上のデジタルオーディオ及び／又はテレビジョン受信装置に送信されるかについて、対話的に影響を与えるのを可能にする。
【００２２】
更に他の態様によれば、本発明は、テレビジョン及び／又はラジオシステム上で表示するためのデジタルオーディオ及び／又はテレビジョン信号のトランスポートストリームであって、追加のデータを含むようなトランスポートストリームを受信する第１受信ユニットを有するようなデジタルオーディオ及び／又はテレビジョン受信装置に関するものである。該デジタルオーディオ及び／又はテレビジョン受信装置は、更に、前記デジタル信号のトランスポートストリームから前記追加のデータを抽出する抽出ユニットと、該抽出されたデータを外部の移動データ処理ユニットに送信する送信ユニットとを有し、上記デジタルオーディオ及び／又はテレビジョン受信装置は、更に、前記抽出された追加のデータの送信を開始するために前記移動データ処理ユニットから周期的リクエストを受信するように構成された第２受信ユニットを有する。
【００２３】
最後に、本発明は、携帯電話網と通信するための第１送受信器ユニットと、デジタルオーディオ及び／又はテレビジョン受信装置と通信するための第２送受信器ユニットと、前記第２送受信器用の命令により前記デジタルオーディオ及び／又はテレビジョン受信装置にリクエストを周期的に送信する制御手段とを有し、上記リクエストが、前記デジタルオーディオ及び／又はテレビジョン受信装置により前記デジタルオーディオ及び／又はテレビジョン信号と共に受信された追加のデータの前記移動データ処理ユニットの第２送受信器への送信を開始するような移動データ処理ユニットに関するものでもある。
【００２４】
請求項に記載の方法及び請求項に記載の装置の更なる変形例は、他の従属請求項の主題である。
【００２５】
以下の詳細な説明においては、本発明の現在好ましい実施例が図面を参照して説明される。
【発明を実施するための最良の形態】
【００２６】
以下、本発明による方法及び装置を、デジタルテレビジョン又はラジオ信号を受信することができるセット・トップ・ボックス１００を参照して説明する。図１において点線のボックスにより示される単一の電子装置内のセット・トップ・ボックス１００の全ての機能ユニットの構成は必須のものではない。以下の記載において説明されるセット・トップ・ボックス１００の１以上の構成要素は、該セット・トップ・ボックス１００の他の機能ユニットに適切に接続される追加の装置において実現することもできる。更に、以下の説明においては、標準のテレビジョン装置１０２に接続された装置としてセット・トップ・ボックス１００を参照するが、本発明は、（現在のところ余り好まれないが）パーソナルコンピュータに使用されるＰＣカード等の、放送されるデジタルテレビジョン又はラジオ信号の受信のための適切な電子回路を備えるカードにより実現することもできる。更に、セット・トップ・ボックスなる用語は、本応用例の状況においては、デジタルテレビジョン信号を受信する装置のみならず、付加的に又は代わりにデジタルラジオ番組を受信するように構成された装置も含むものである。最後に、当該セット・トップ・ボックスは必ずしも別体の装置である必要はない。該セット・トップ・ボックスは、テレビジョン等の他の装置に統合することもできる。
【００２７】
図１は、セット・トップ・ボックス１００の概要を示す。データトランスポートストリーム内でデジタルテレビジョン信号間に例えば移動デジタル処理ユニット２００のための特別なアプリケーション等を規定する追加のデータ群を伝送する放送信号が、アンテナ１０１により受信される。アンテナ１０１により受信される衛星信号の代わりに、上記トランスポートストリームは、地上デジタルＴＶ番組として又はケーブル（図示略）を介して受信することもできる。該デジタルテレビジョン信号のプロバイダ（図示略）は、例えば後に説明する更なるステップの間において上記セット・トップ・ボックスが追加のデータ群を抽出するのを可能にするような特別なヘッダを備えるデータパケットを含めることにより、デジタルテレビジョンデータの標準のストリーム上に該追加のデータ群を変調している。セット・トップ・ボックス１００へのデータ送信のための帯域幅を最大にするための合成されたストリームの追加の圧縮を含めて、当該デジタルテレビジョン信号及び追加のデータの群のための全ての種類の合成（convolution）技術が考えられる。
【００２８】
一実施例（図示略）においては、上記追加のデータ群の送信は、プロバイダが１以上のユーザから信号を受信することに応答して実行される。このような開始信号は、セット・トップ・ボックス１００から当該プロバイダへのモデム接続等を用いた標準の戻りラインを介して受信することができるか、又は例えば携帯電話等の移動データ処理ユニット２００が当該プロバイダに対して追加のデータに対する要求を例えばＧＳＭ、ＧＰＲＳ若しくはＵＭＴＳネットワーク等の通信ネットワークを介して通知する。
【００２９】
上記追加のデータ群の内容は、好ましくは、上記放送信号の内容に関連したものとする。一例は、サッカートーナメント等の生のイベントに関係する追加情報である。この場合、該追加のデータは、進行しているトーナメントに関する更なる統計又はユーザにより移動データ処理ユニット２００上でプレーされるべき関連するコンピュータゲーム等の種々のデータコンテンツを含むことができる。他のアプリケーションは、上記データテレビジョン信号の或るチャンネルで現在放送されている映画に関係するサウンドファイルのダウンロードである。このようにして、ユーザは映画のサウンドトラックを、後に再度聴くためにＭＰ３プレーヤ等の該移動データ処理ユニットに記憶することができる。これらは２つの例に過ぎず、当業者にとっては、上記追加のデータの内容が意味のある態様でデジタルテレビジョン信号の内容を補うような多数の有用なアプリケーションが考えられることは明らかである。
【００３０】
セット・トップ・ボックス１００はリモコン３を用いて操作することができ、該リモコンは遠隔制御センサ７と作用し合ってセット・トップ・ボックス１００の１以上の中央処理ユニット（図示略）にコマンドを発する。代替的に又は付加的に、セット・トップ・ボックス１００は押ボタン又はスイッチ（図１には図示せず）等の入力手段を有することもできる。セット・トップ・ボックス１００のディスプレイ１８は、ユーザに対してメッセージを表示することを可能にする。
【００３１】
セット・トップ・ボックス１００のフロントエンドユニット５において、アンテナ１０１から供給された放送信号は復調される。次いで、前記追加のデータ群がデータフィルタ６によりフィルタ分離される。デジタルテレビジョン信号はセット・トップ・ボックス１００により標準の方法で更に処理される。図１では、これが、当該セット・トップ・ボックス１００の標準のオーディオ及び／又はビデオ処理を表すユニット２０により概念的にのみ示されている。
【００３２】
上記データフィルタ６を実施するための例えばハードウェアによる又はソフトウェアによる多くの方法が存在することに注意すべきである。セット・トップ・ボックス１００を新たなデータフォーマットに適合させるにはソフトウェア解決策の方が、柔軟性があるが、ハードウェアの解決策は、より高速である。これら２つの代替案の組み合わせも可能である。更に、前記デジタルテレビジョン信号及び追加のデータ群の両方を含む受信された信号の最初の復調の機能、並びに後続のフィルタ処理は単一のユニットに組み合わせることもでき、又は上記データ群はテレビジョン信号が復調される前に受信信号からフィルタ分離することさえできる。
【００３３】
上記追加のデータ群がフィルタ分離された後、該追加のデータ群はメモリ８に記憶され、“待ち”状態に留まる。該メモリは、例えばＲＡＭとして又はディスクドライブ若しくはフラッシュＲＯＭ等の永久メモリとして等の、多くの異なる方法で実現することができる。また、メモリ８は単に当該セット・トップ・ボックス１００の通常のメモリ範囲における或る範囲とすることもできる。上記追加のデータ群は、後述するようにして移動データ処理ユニット２００にダウンロードされるか又はユーザコマンドに応答して消去されるまで、メモリ８内に留まる。更に、セット・トップ・ボックス１００にタイマ機能を含め、所定量の時間内にダウンロードされなかった追加のデータ群が自動的に消去されるか又は新たなデータにより書き換えられるようにすることもできる。より簡単な実施例においては、上記の抽出されたデータは当該セット・トップ・ボックス内には記憶されず、後述するように移動データ処理ユニットに即座に送信される。
【００３４】
ユーザに移動データ処理ユニット２００へダウンロードするための追加のデータの有無について通知するために、セット・トップ・ボックス１００は、図１に概念的に示されたように（“データファイル１情報…”）自身のディスプレイ１８上にメッセージを提示するか、又は該メッセージが、接続されたテレビジョン装置１０２のスクリーン上に提示される。また、上記２つの表示機能の組み合わせも可能であり、その場合、例えばディスプレイ１８は追加のデータの群の一般的な利用可能性についてのみ通知する一方、テレビジョン装置１０２の表示は、ユーザのリクエストに応じて、内容、サイズ及び当該データの移動データ処理ユニット２００へのダウンロードに関する費用等の当該データ群についての追加情報を提示する。
【００３５】
上記の記憶された追加データの群のセット・トップ・ボックス１００から移動データ処理ユニット２００への実際の転送は、種々の手段により起動することができる。１つの選択枝は、直接的な又はリモコン３を介してのセット・トップ・ボックス１００におけるユーザ入力である。この場合、セット・トップ・ボックス１００は自身の送受信器４を用いて移動データ処理ユニット２００に対する通信リンク（好ましくは、無線リンク）を確立するように試みる。このような送受信器４は、例えば赤外線ポートとして実現することができ、該赤外線ポートはユニット２００の対応する赤外線ポート（図１には図示せず）と通信する。他の実施例では、例えばブルートゥースプロトコル（下記参照）に従うＲＦ信号が使用される。好ましくは、セット・トップ・ボックス１００は無線通信に関して２以上の可能性を有し、かくして、該セット・トップ・ボックスが異なるタイプの移動データ処理ユニット２００に柔軟に適応することができるようにする。最後に、当該データを含む電磁信号を、ケーブル（図示略）を介した接続を使用して移動データ処理ユニットに伝送することも可能である。
【００３６】
他の例として、記憶されたデータの移動データ処理ユニット２００への転送は、ユニット２００により起動することもできる。この代替実施例では、ユーザがユニット２００を単に送信器４の送信範囲内に位置させて、セット・トップ・ボックス１００に対応するリクエストを送ると、該セット・トップ・ボックスは記憶されたデータのダウンロードを開始する。明らかなことに、組み合わせも可能であり、その場合、一方の側（セット・トップ・ボックス１００又は移動データ処理ユニット２００）が先ずリクエストを送り、次いで該リクエストは送信を開始するために他方の装置におけるユーザ入力により確認される。
【００３７】
図２は、本発明の態様による移動データ処理ユニット２００を概略図示している。一般的に、ＰＤＡ、手持ちコンピュータ、ノートブック及びＭＰＥＧ−３プレーヤ等の本発明と一緒に使用することができる多くの移動装置が存在する。しかしながら、携帯電話は最も普通であると共に、受信データを処理することのみならず、処理されたデータに関する信号を通信ネットワーク（ＧＳＭネットワーク又はＣＤＭＡネットワーク等）を介して伝送することも可能にするので、下記の説明は上述したセット・トップ・ボックス１００と共動する斯様な装置の変更例に絞る。
【００３８】
当該携帯電話は好ましくは２つの送受信ユニット、即ちＧＳＭ、ＧＰＲＳ又はＣＤＭＡ（ＵＭＴＳ）ネットワーク等の標準の通信ネットワークのための第１のもの１５、及びセット・トップ・ボックス１００の送受信器４と通信するための他のもの９を有する。第２の送受信器９は、赤外線ポートとして及び／又はＲＦ信号のためのブルートゥース送受信器として設けることができる。好ましい実施例では、携帯電話２００はプロセッサ及び命令を伴うメモリを有し、送受信器４はセット・トップ・ボックス１００に対して利用可能なデータの送信のためのリクエストを送信する。携帯電話がスイッチオンされている場合、該携帯電話からのリクエストはユーザ入力に応答して又は自動的に送信され得る。後者の場合、セット・トップ・ボックスに記憶された追加データのダウンロードは、携帯電話２００がセット・トップ・ボックス１００の送受信器４に充分に近く、且つ、電源がオンされている場合に、自動的に開始する。これは、ユーザにとり、パーソナルコンピュータでインターネットからデータをダウンロードし、次いで該データを後の使用のために携帯電話に転送するよりも著しく容易である。ダウンロードされたデータは、携帯電話２００のメモリ１１に記憶され、該メモリにおいて更なる処理のために利用可能となる。
【００３９】
本発明の一層進んだ態様によれば、上記のダウンロードされるデータは、当該ユーザが携帯電話２００からプロバイダ（図示略）に又はデジタルテレビジョン信号の他のユーザに情報を送ることを要するような対話的フィーチャを有することができる。例えば、対話型ゲームを多くのユーザによりプレーすることができ、その場合において、一般的な情報及び／又は結果はテレビジョン１０２に対して放送される一方、各ユーザはセルラネットワークを介して自身の携帯電話でプレーする。
【００４０】
対話型ゲーム（又は同様のもの）自体はプロバイダによりデジタルテレビジョン信号に含められる追加データとして作成されるので、このようなゲーム又は同様のイベントの全体的設定はユーザにとり非常に容易であり、特別な技術的熟練は必要としない。カメラ又はマイクロフォン等の当該携帯電話の他の機能ユニットも、セット・トップ・ボックス１００から受信されるデータの対話的処理に関わらせることができる。
【００４１】
セルラネットワークへの接続は、図２では携帯電話２００のデータフィルタ１２により反映される。当該携帯電話のプロセッサ及びオペレーティングシステム等（図示略）の制御の下で、送受信器９を介して受信されたデータを処理した結果得られたデータは、第１送受信器１５及び付属アンテナを介して送出することができる。データフィルタ１２は、このデータの送信が他の音声及び当該携帯電話のデータサービス１７と干渉しないことを保証する。
【００４２】
本明細書の以下の部分においては、本発明の現在好ましい実施例を更に説明する。更に、“ブルコン（Blucom）”受信機要件と“ブルコン”ブラウザアプリケーションとの付属の２つの仕様書は、セット・トップ・ボックス１００の現在好ましい実施例の及び本発明の状況において使用される移動装置２００又は他のタイプの移動データ処理ユニット上で動作するブラウザアプリケーションの全ての特徴を説明する。しかしながら、実用的な実施例は下記の又は付属仕様書に記載された全てのフィーチャを実現する必要はないことに注意すべきである。逆に、幾つかの実施例は以下に説明するシステムの個々の又は数個の特徴を使用するだけであろう。特に、記載されるフィーチャの殆どは、当該システムの他のフィーチャからは独立に実施化することができる。
【００４３】
図３は、当該アーキテクチャの概要を示す。理解されるように、コンテンツプロバイダは適切なオーサリングシステムを使用することにより追加データのコンテンツを作成する。更に、放送者が示されており、該放送者は上記追加データのコンテンツを、使用されるデータカルーセルフォーマットに従ってフォーマッティングし、当該合成データを衛星に送出する責任を負う。他の例として、上記合成データはケーブルネットワーク又は地上放送を用いて放送することもできる。
【００４４】
上記テレビジョン信号及び追加データを有する合成デジタルデータのトランスポートストリームは、デジタル受信器又はセット・トップ・ボックス１００により受信される。該デジタル受信器又はセット・トップ・ボックス（ＳＴＢ）は、携帯電話２００等の如何なるクライアント装置に対してもコンテンツサーバとして作用する。上記追加データは、当該トランスポートストリーム内で如何なるＭＰＥＧ番組のデータ成分とも同様の態様で伝送される１以上のデータカルーセルから分析される。上記ＳＴＢは、該ＳＴＢのＲＡＭに割り当てられたキャッシュに、適切なバージョン（下記参照）の全ての追加データのカルーセルの完全なペイロードを記憶する。該ＳＴＢのキャッシュは、衛星からのデータで満たされる共有メモリ資源と見なすことができる。データは、例えば携帯電話２００からの上記追加データに対するクライアントのリクエストを専門に扱うデータサーバ要素により上記キャッシュから要求される。
【００４５】
上記キャッシュ内のディレクトリ構造は、前記トランスポートストリームに含まれるヘッダから得られるパス及びファイル名情報に従う。この構造は、クライアントのリクエストに対する参照として使用される。更に、上記データカルーセルは制御パラメータ等の更なる情報を有する。上記追加データのためのデータカルーセルの更新、即ち新たなバージョン、は適切な識別子の変更により検出される。
【００４６】
更に詳細には、ＳＴＢのキャッシュは以下のように管理される。即ち、ＳＴＢが実際に同調されたＭＰＥＧ番組上で追加データの有効な成分を検出するやいなや、該ＳＴＢは即座に該追加データの捕捉を開始し、該追加データをキャッシュに書き込む。キャッシュは、実際に同調されたサービスが追加データを伝送する他のサービスに変更されると削除され、次いで同調されたサービスの追加データにより充填される。しかしながら、新たなサービスの識別子が前に同調されたサービスの識別子と一致するなら、データがサービス間で共有される場合の一層良好な性能を可能にするために、ＳＴＢはキャッシュを保持する。
【００４７】
キャッシュのために確保されたＲＡＭ空間が、新たなサービスの追加データを記憶するために完全に割り当てられることを要しない場合、ＳＴＢが前のサービスに同調して戻される場合のアクセスを高速化するために、該ＳＴＢは前のデータを維持することができる。新たなサービスが追加データを供給しない場合、ユーザが前に同調されたサービスに切り換え戻す場合の高速アクセスを可能にするために、前にダウンロードされた追加データはキャッシュに保持される。
【００４８】
或るサービス又はチャンネルの追加データに関係する制御パラメータは、新たなサービスが何らかの追加データを伝送するか否かに拘わらず、サービスの変更に際して即座に削除される。この規定は、何らかの所与のサービスの追加データのみが利用可能であることを保証する。しかしながら、新たなサービスの識別子が前に同調されたサービスの識別子と一致するなら、追加データがサービス間で共有される場合の一層良好な性能を可能にするために、ＳＴＢは制御パラメータを保持する。
【００４９】
追加データに関係する制御パラメータを送信するために、好ましくは、制御ファイルがＳＴＢへのトランスポートストリームに含められる。該制御ファイルの目的は、追加データに対するクライアントの要求に際しての受信器の反応を指定することである。如何なる事前の解釈もなしに受信器のファイルシステムに記憶されるようなコンテンツを伴う実際のデータファイルとは相違して、ＳＴＢは制御ファイルの内容を分析し、該制御ファイルの受信後即座に制御パラメータを記憶しなければならない。
【００５０】
衛星から送信されるカルーセルにおいて、制御ファイルは各データヘッダにおける制御ファイル記述子の存在により識別される。ＳＴＢが受信されたデータカルーセルに新たな制御ファイルを検出するやいなや、該ＳＴＢは受信器のＲＡＭ内の制御ファイルデータを更新する。次のクライアントのリクエストに際して、ＳＴＢは、この新たな制御ファイルにより決定される規則に従って反応する。好ましい実施例においては、制御ファイルはＸＭＬファイルフォーマットに基づくものとする。
【００５１】
ＳＴＢ１００と移動装置２００（電話、ＰＤＡ等）との間の通信は、ハードウェア及びインターフェースプロトコルに依存する。以下においては、これらの好ましい実施例が簡単に説明される。
【００５２】
前述したように、ＳＴＢ１００は好ましくはブルートゥース規格を用いて移動装置２００と通信することができるインターフェースを有する。好ましくは、該インターフェースの性能は、下記の条件の下でクライアントのリクエストに対する反応時間が規定の限界を超えないことを保証する。該条件は以下の通りである。
・ＳＴＢには単一のクライアントのみが接続される。
・ブルートゥースのデータレートは正味で５００ｋｂ／ｓである。
・測定点は、ブルートゥースの無線レイヤである。
・要求されたファイルは既にＳＴＢのキャッシュ内にある。
クライアントの１０ｋＢのファイルのリクエストに対して、ＳＴＢは該クライアントリクエストの発行後２５０ｍｓ内に全ファイルの供給を完了する。
【００５３】
上記要件を満たすために、該ＳＴＢの好ましいハードウェアは、上述したキャッシュに少なくとも１６ＭＢの量が割り当てられる。移動装置２００との通信のために、ＳＴＢは好ましくは出力等級２のブルートゥース無線装置を有し、該無線装置はＳＴＢのフロントパネルから少なくとも１０メートルの距離にわたり安定した接続を提供する。
【００５４】
ＳＴＢ１００と移動装置２００との間のインターフェースプロトコルも、好ましくは、ＸＭＬファイルフォーマットに基づくものとする。プロトコルデータの量を可能な限り少なく維持すべく、当該ＸＭＬプロトコルを構築するためにＸＭＬ短縮形（short-form）を使用することが推奨される。当該低レベル通信は、好ましくは、ブルートゥース無線技術に基づくものとする。図４は、ブルートゥースプロトコルスタックに加え追加データにアクセスするためのサービスの記述されたプロトコルの構成を示している。
【００５５】
従って、移動装置２００とＳＴＢとの間の接続を確立するには、当該携帯電話上のブルートゥース装置（図示略）は、通信ソフトウェア（“ブラウザ”）が開始される前に、可能化されて遠隔ブルートゥース装置を接続する準備が整わなければならない。ブラウザを開始した後、該ブラウザは移動装置２００のブルートゥース装置が可能化され準備が整っているかを検証する。ブルートゥース装置が利用可能でない場合、又はブルートゥース装置がスイッチオンされていない場合、当該ブラウザはユーザにどの様にしてブルートゥース装置をスイッチオンするかを知らせる。
【００５６】
ブルートゥース装置及びサービスの発見は、移動装置２００上で動作するブラウザアプリケーションにより開始される。正しい装置を見付けるために、該ブラウザは、発見された各装置に対してサービス問合せを実行し、当該移動装置が対応するアプリケーションのみにつながっていることを確かめる。ＳＴＢ上の追加データにアクセスするサービスを提供するような２以上の装置が発見された場合は、選択のためにユーザに対しブルートゥース固有のユーザ友好的装置名のリストが提示される。
【００５７】
正しい装置（ＳＴＢ）が発見され又はユーザにより選択された後、当該ブラウザは該装置への接続を確立しようとする。ＳＴＢ側のコンフィギュレーションに依存して、接続するためには、認証ｉｄ（ＰＩＮ）を入力する必要があるかも知れない。ＳＴＢに成功裏に接続した後、遠隔装置は、当該装置が該装置への後の接続に対する反復したｐｉｎリクエストを回避するために正しいリスト管理をサポートするなら、信頼装置リストに追加されねばならない。
【００５８】
成功裏の装置及びサービスの発見の後、当該ブラウザは好ましくはＳＴＢに対して最初のリクエストを送出して、著作権ストリングをＳＴＢ側の相手と比較させる。否定的応答又は設定された時間切れ期間内に応答が無い場合、ブラウザは当該ＳＴＢが追加データにアクセスするサービスに対して許可されていないことを示すメッセージを表示する。上記著作権ストリングは、それ以上の意味を有さない静的テキスト列である。これは、法的理由のみにより必要とされ、システムプロバイダにより定義することができる。
【００５９】
成功裏の接続の後、ブラウザは第１ページを表示しなければならない。従って、ブラウザは、ＳＴＢにより提供されている現在のサービスに同期させるために、後に更に説明する同期コマンドを実行しなければならない。追加データを伴うチャンネルが利用可能である限りにおいて、ブラウザはコンテンツが取り出され且つ表示されねばならないＵＲＬを受信する。
【００６０】
以下においては、ブラウザのコンテンツ取り出しを更に説明する。追加データのコンテンツは、異なるコンテンツプロバイダにより準備され得る。プロバイダは、当該コンテンツを論理的に構造化するためにページを使用する。ブラウザは一度に単一のページを表示する。各ページは特定のコンテキストに付属される。コンテキストｉｄは、サーバから取り出される各ページに対して供給される。コンテキストは、ページリクエスト及びコンテキスト変数の維持にとり重要である。
【００６１】
コンテンツは移動装置２００によりＳＴＢ１００から引き出される。ＳＴＢからコンテンツがどの様に引き出されるかには、２つの方法がある。
【００６２】
自動ページリクエストの場合、ブラウザは、プロトコルにおいて決定されるリフレッシュ間隔に従って、サーバからの新たなページを自動的に要求する。このリフレッシュ間隔は、各々の後のページ又はコンテンツのリクエストの後に変化し得る。全ての自動ページリクエストは静かに実行される。即ち、ユーザは取り出しを起動しないので、これらページのリクエスト、取り出し又は処理が失敗しても、何のメッセージも表示されない可能性がある。
【００６３】
該自動ページリクエストは、コンテンツプロバイダによるコンテンツの頻繁な更新も可能にする。２つのタイプの更新が区別される。
−  プロバイダは、例えば表示されたコンテンツを或るチャンネルの現在進行しているテレビジョン番組に適合させるために、可能な限り早く当該ブラウザにより表示されねばならない新たな異なるページを決定する。
−  プロバイダは、古い（日付の古い）ページの代わりに表示される、ブラウザにより現在表示されているページの更新を発生する。
従って、どのページが次に表示されるべきかは、ＳＴＢにより完全に制御される。ブラウザは、ページ名、ページバージョン及びコンテキストが現在表示されているページに関して変わっていないならば、ＳＴＢにより示される各新ページをリクエストし表示する。
【００６４】
一方、ＳＴＢはブラウザが要求しない限り新たなページを供給しないので、ブラウザは定期的にサーバをポーリングし、ページの更新を要求しなければならない。好ましくは、ブラウザは１秒以下のルックアップ間隔を処理することができるものとする。好ましくは、リフレッシュ間隔は動的値とする。
【００６５】
自動ページリクエストに加えて、好ましくは、手動ページリクエストのオプションが存在するものとする。ユーザは、現在表示されているページ内のリンクを選択することにより、ページリクエストを非同期的に起動することができる。ブラウザは、該ページを表示するために必要とされる全てのコンテンツを取り込むよう試みる。全ての手動ページリクエストは能動的に実行される。即ち、ユーザはブラウザの活動に関する読み取り可能な視覚的フィードバックを得る。リクエストされたページがエラーにより表示することができない場合、エラーメッセージが表示される。
【００６６】
図５は、移動装置２００とＳＴＢ１００との間の通信のために使用される５つの異なるコマンドの概要を示している。
【００６７】
開始コマンドは、全ての他のコマンドのための必要条件である。ＳＴＢが開始コマンドに対してＯＫで回答することができない場合、全ての以降のリクエスト（更なる開始コマンドは除く）は“失敗”なる戻りコードで回答されるであろう。
【００６８】
同期コマンドを用いて、ブラウザはＳＴＢに現在有効な同期ページＵＲＬ、即ち当該移動装置と同期されるべきＳＴＢに記憶されたデータ、を問い合わせる。現在の同期ページのＵＲＬとは別に、その応答は、現在のコンテキスト及び新たなリフレッシュ間隔に関しての情報も供給する。戻りコードは、応答状態について通知する。応答が成功裏に処理され、更なる条件が満たされると、ブラウザは新たなページを表示するために該新たなページのＵＲＬに関するコンテンツを獲得する。
【００６９】
リフレッシュコマンドにより、ブラウザは、現在のものとは相違し得る、ディスプレイ上に現在示されているページ及び現在の同期ページに関するＵＲＬ及びファイルバージョンを送信する。該リフレッシュコマンドに対する応答が成功裏に処理され、且つ、他の条件が満たされるなら、ブラウザは、新たなページを表示するために供給された新たなページのＵＲＬに関するコンテンツを獲得する。戻りコードは、応答状態に関して通知する。
【００７０】
上記新たなページは、前述したように、現在表示されているページに対する更新、又は即座に表示される新たな同期ページであり得る。更に、応答コードは、現在のコンテキストに関する情報、新たなリフレッシュ間隔、その上、供給されたＵＲＬが同期ページであるか否かを決定するフラグを供給する。該新たなページが同期ページとして通知された場合、ブラウザは該ＵＲＬ及びバージョンを現在の同期ページとして保存する。
【００７１】
獲得コマンドなる更なるコマンドは、ＳＴＢに或るページのコンテンツを問い合わせるように作用する一方、第５のコマンド“コンテキスト獲得”は当該ＳＴＢが現在同調されている現在のサービスの識別子等の関連するパラメータを得るように作用する。
【００７２】
本発明の現在好ましい実施例の他の態様は２つの付属文書に記載されている。
付属文書
【００７３】
“ブルコン（Blucom）”受信器要件バージョン1.53a
“ブルコン”ブラウザ・アプリケーション・バージョン1.6の機能仕様書
【図面の簡単な説明】
【００７４】
【図１】図１は、本発明において使用されるべきデジタルテレビジョン受信装置の種々の構成要素の概要図である。
【図２】図２は、本発明において使用されるべき移動データ処理ユニットの種々の構成要素の概要図である。
【図３】図３は、現在好ましい実施例における本発明の種々の構成要素の一層詳細な概要である。
【図４】図４は、図３の実施例におけるＳＴＢと移動装置との間の通信に使用される通信層の層構造の概要である。
【図５】図５は、図３の実施例におけるＳＴＢと移動装置との間の通信のための主たるコマンドの概要である。
【符号の説明】
【００７５】
３  リモコン
４  送受信器
５  フロントエンドユニット
６  データフィルタ
７  遠隔制御センサ
８  メモリ
９  送受信ユニット
１１  メモリ
１２  データフィルタ
１５  送受信ユニット
１７  データサービス
１８  ディスプレイ
２０  ユニット
１００  セット・トップ・ボックス
１０１  アンテナ
１０２  テレビジョン装置
２００  移動データ処理ユニット
【図１】
2008517501.tif 000003
【図２】
2008517501.tif 000004
【図３】
2008517501.tif 000005
【図４】
2008517501.tif 000006
【図５】
2008517501.tif 000007
【国際調査報告】
2008517501.tif 000008
2008517501.tif 000009
2008517501.tif 000010